(57)【要約】【課題】押下ヘッドの押し下げ時のがたつきを抑制して操作性を向上させることができる押下ヘッドを提供することを目的とする。【解決手段】ノズル５と、弁室６５が形成されたヘッド本体６と、ノズル５内に挿入されてノズル５を開閉する弁体７と、弁体７を弁体軸Ｌ２方向の一方側に移動させる移動機構８と、を備える押下ヘッド１であって、ヘッド本体６は、弁室６５に連通されていると共にステム４２に嵌合される嵌合筒部６３を備え、移動機構８は、ヘッド本体６の上部に上下動可能に装着されたカバー部材８０と、上端部がカバー部材８０の天壁部１０の下面に当接されて下端部が弁体７に係合されていると共にヘッド本体６に揺動可能に取り付けられた梃部材８２と、を備え、カバー部材８０の押下動作に伴いカバー部材８０が梃部材８２の上端部を押し下げることで梃部材８２が揺動して梃部材８２の下端部が弁体軸Ｌ２方向の一方側に向かって移動する。【選択図】図１
2010104942.tif 000002
【特許請求の範囲】
【請求項１】
ノズルと、該ノズルを介して外部に連通可能な弁室が形成されたヘッド本体と、前記ノズル内に挿入されて該ノズルを開閉する弁体と、該弁体を弁体軸方向の一方側に移動させて前記ノズルを開放させる移動機構と、を備え、上方付勢状態で押込み可能に起立したステムを有する吐出器に装着される押下ヘッドであって、
前記ヘッド本体は、前記弁室に連通されていると共に前記ステムに嵌合される嵌合筒部を備えており、
前記移動機構は、前記ヘッド本体の上部に上下動可能に装着されたカバー部材と、上端部が前記カバー部材の天壁部の下面に当接されて下端部が前記弁体に係合されていると共に前記ヘッド本体に揺動可能に取り付けられた梃部材と、を備え、前記カバー部材の押下動作に伴い前記カバー部材が前記梃部材の上端部を押し下げることで前記梃部材が揺動して前記梃部材の下端部が前記弁体軸方向の一方側に向かって移動することを特徴とする押下ヘッド。
【発明の詳細な説明】
【技術分野】
【０００１】
本発明は、上方付勢状態で押込み可能に起立したステムを有する吐出器に装着される押下ヘッドに関する。
【背景技術】
【０００２】
この種の押下ヘッドとして、従来、例えば下記特許文献１に示されているように、ノズルと、そのノズルを介して外部に連通可能な弁室が形成されたヘッド本体と、弁室内からノズル内に挿入されてノズルを開閉する弁部材と、弁部材を移動させてノズルを開放させる移動機構と、を備えた構成が知られている。
上記したヘッド本体には、弁室に連通されるシリンダが垂設されており、このシリンダとステムの上端との間には装着筒部材が介装されている。装着筒部材は、ヘッド本体の本体周壁の内側に配設されており、その概略構成としては、ステムの軸線に対して略垂直に配設された円環状の頂板と、頂板の下面に垂設されてステムの外側に嵌合される装着筒と、円環状の頂板の内縁から立設されて上記シリンダの内側に摺動可能に嵌合された摺動筒と、を備えている。
一方、上記した移動機構には、ヘッド本体に揺動可能に取り付けられた梃部材が備えられている。この梃部材は、下端部が装着筒部材の頂板の上面に当接され、上端部が弁部材の後端部に掛合されている。なお、弁部材はコイルスプリングによってノズル先端側（前方）に向けて付勢されており、ノズル孔が弁部材の先端部によって閉塞されている。
【０００３】
上記した構成からなる従来の押下ヘッドによれば、ヘッド本体の上端面を押圧してヘッド本体を押し下げると、シリンダが摺動筒に沿って下向きに摺動すると共に梃部材がヘッド本体と共に下方に移動する。このとき、梃部材の下端部が頂板に当接しているため梃部材が揺動して梃部材の上端部が後方側に傾動する。これにより、梃部材の上端部に掛合された弁部材が後方に移動し、弁部材の先端部がノズル孔から離間してノズルが開放される。続いて、さらにヘッド本体を押し下げると、ヘッド本体の摺動筒等が装着筒部材の頂板を押圧し、装着筒部材と共にステムが押し込まれる。これにより、吐出器によって内容物が供給され、この内容物はステムの上端から装着筒部材内を通って弁室に流入してノズル先端のノズル孔から吐出される。
【特許文献１】特開２００２−３２６０４４号公報
【発明の開示】
【発明が解決しようとする課題】
【０００４】
ところで、上記した押下ヘッドにおいては、手の平などで押し下げやすくするために押圧面（ヘッド本体の上端面）を大型化する要望がある。
しかしながら、上記した従来の押下ヘッドでは、ヘッド本体とステムとの間に装着筒部材が介装されているため、ヘッド本体の上端面を大型化すると、ヘッド本体を押し下げてステムを押し込むときにヘッド本体ががたつき、操作性が低下するという傾向が大きくなるおそれがある。
【０００５】
本発明は、上記した従来の問題が考慮されたものであり、押し下げ時のがたつきを抑制して操作性を向上させることができる押下ヘッドを提供することを目的としている。
【課題を解決するための手段】
【０００６】
本発明に係る押下ヘッドは、ノズルと、該ノズルを介して外部に連通可能な弁室が形成されたヘッド本体と、前記ノズル内に挿入されて該ノズルを開閉する弁体と、該弁体を弁体軸方向の一方側に移動させて前記ノズルを開放させる移動機構と、を備え、上方付勢状態で押込み可能に起立したステムを有する吐出器に装着される押下ヘッドであって、前記ヘッド本体は、前記弁室に連通されていると共に前記ステムに嵌合される嵌合筒部を備えており、前記移動機構は、前記ヘッド本体の上部に上下動可能に装着されたカバー部材と、上端部が前記カバー部材の天壁部の下面に当接されて下端部が前記弁体に係合されていると共に前記ヘッド本体に揺動可能に取り付けられた梃部材と、を備え、前記カバー部材の押下動作に伴い前記カバー部材が前記梃部材の上端部を押し下げることで前記梃部材が揺動して前記梃部材の下端部が前記弁体軸方向の一方側に向かって移動することを特徴としている。
【０００７】
このような特徴により、カバー部材の上端面を押圧してカバー部材を押し下げると、カバー部材の天壁部によって梃部材の上端部が下向きに押圧されて梃部材が揺動する。これにより、梃部材の下端部が弁体軸方向の一方側に移動し、梃部材の下端部に係合された弁体が弁体軸方向の一方側に引っ張られてノズルが開放される。続いて、カバー部材を更に押し下げると、カバー部材によってヘッド本体が下向きに押圧され、ヘッド本体と共にステムが押し込まれる。これにより、吐出器によって内容物が供給され、この内容物はステムの上端から嵌合筒部内を通って弁室に流入し、開放されたノズルから吐出される。このとき、ヘッド本体の嵌合筒部がステムに嵌合され、ヘッド本体とステムとが直接連結されているので、ヘッド本体ががたつきにくい。
【発明の効果】
【０００８】
本発明に係る押下ヘッドによれば、ヘッド本体を下降させてステムを押し込む際のヘッド本体のがたつきを抑制することができ、押し下げ時の操作性を向上させることができる。
【発明を実施するための最良の形態】
【０００９】
以下、本発明に係る押下ヘッドの実施の形態について、図面に基いて説明する。
図１は吐出器２に装着された押下ヘッド１の押し下げ前の状態を表した縦断面図であり、図１は吐出器２に装着された押下ヘッド１の押し下げ時の状態を表した縦断面図である。
なお、本実施の形態では、吐出器２からみて押下ヘッド１側（図１における上側）を上方とし、その反対側（図１における下側）を下方とする。また、後述するノズル５の先端側（図１における左側）を前方とし、その反対側（図１における右側）を後方とする。また、上下方向に延在する図１に示す符号Ｌ１は、後述するステム４２の中心軸線を示しており、以下、「縦軸Ｌ１」と記す。また、前後方向に延在する図１に示す符号Ｌ２は、後述するノズル５や弁体７の中心軸線を示しており、以下、「横軸Ｌ２」と記す。
【００１０】
まず、吐出器２の概略構成について説明する。
【００１１】
図１に示すように、吐出器２は、内容物を収容した図示せぬボトルの口部に装着されるポンプ式の吐出器であり、その概略構成としては、口部に装着される装着キャップ３と、装着キャップに取り付けられたポンプ４と、を備えている。
【００１２】
装着キャップ３は、ボトル口部に螺着されるキャップ体であり、天壁部３０と雌ねじ筒部３１とガイド筒部３２とフランジ部３３と外筒部３４とポンプ取付部３５とを備えている。天壁部３０は、縦軸Ｌ１に対して略垂直に配設された円環状の板部であり、天壁部３０の下面には、ボトル口部の上端面をシールする円環状のパッキン３６が配設されている。雌ねじ筒部３１は、天壁部３０の外縁から垂下された筒部であり、内周面に雌ねじが形成されてボトル口部に螺着されている。ガイド筒部３２は、天壁部３０の上面に立設された筒部である。フランジ部３３は、ガイド筒部３２の下端部から径方向外側に突出した板部であり、ガイド筒部３２の外周面の全周に亘って形成されている。外筒部３４は、フランジ部３３の外縁から垂下された筒部であり、内径が雌ねじ筒部３１の外径よりも大きく、雌ねじ筒部３１の径方向外側に周設されている。ポンプ取付部３５は、上端が閉塞された二重筒構造の筒部であり、天壁部３０の内縁から立設されている。上記した雌ねじ筒部３１と外筒部３４、及び、ガイド筒部３２とポンプ取付部３５は、それぞれ縦軸Ｌ１を共通軸にして同軸上に配設されている。
【００１３】
ポンプ４は、シリンダ４０とピストン部材４１とステム４２と図示せぬコイルスプリングと図示せぬ弁部材等とを備える公知のポンプ機構であり、種々のポンプ機構を用いることができる。シリンダ４０は、縦軸Ｌ１に沿って延在した筒部材であり、シリンダ４０の上端部は、上記したポンプ取付部３５の外筒３５ａと内筒３５ｂの間にアンダーカット嵌入されている。これにより、シリンダ４０は、ポンプ取付部３５に支持され、上記した雌ねじ筒部３１の下端から下向きに突出されている。ピストン部材４１は、シリンダ４０の内側に配設された筒部材であり、シリンダ４０の内周面に沿って上下方向に摺動可能な部材である。このピストン部材４１の上端部は、ポンプ取付部３５の内筒３５ｂの内側に挿入されている。ステム４２は、縦軸Ｌ１に沿って延在した筒部材である。このステム４２の下端部は、ポンプ取付部３５の内筒３５ｂの内側に挿入されてピストン部材４１の上端部の外側に嵌合されており、ステム４２は、ポンプ取付部３５の内筒３５ｂの上端から上向きに突出されている。
【００１４】
次に、上記した押下ヘッド１の構成について説明する。
【００１５】
図１に示すように、押下ヘッド１は、上記したポンプ４に装着された上下方向に移動可能なヘッド部材であり、その概略構成としては、上記したステム４２に装着されるヘッド本体６と、ヘッド本体６に取り付けられたノズル５と、ノズル５を開閉する弁体７と、弁体７を横軸Ｌ２に沿って後方側に移動させてノズル５を開放させる移動機構８と、を備えている。
【００１６】
ヘッド本体６は、縦軸Ｌ１に対して略垂直に配設された天壁部６０と、天壁部６０の外周縁から垂下された下側周壁部６１と、下側周壁部６１の内側に配設された横筒部６２と、横筒部６２の下面から垂下された嵌合筒部６３と、天壁部６０の外周縁から立設された上側周壁部６４と、を備えている。
【００１７】
天壁部６０の後側部分には、後述する梃部材８２の第二アーム部１６が挿通される開口６０ａが形成されている。
下側周壁部６１は、縦軸Ｌ１に沿って延在する筒部である。この下側周壁部６１の外径は、上記した装着キャップ３のガイド筒部３２の内径よりも小径であり、下側周壁部６１の下端部がガイド筒部３２の上端部の内側に挿入されている。また、下側周壁部６１の下端面は、装着キャップ３の天壁部３０の上面から離間されており、下側周壁部６１の下端面と装着キャップ３の天壁部３０の上面との間にはヘッド本体６の押下ストローク以上の隙間があけられている。
【００１８】
横筒部６２は、横軸Ｌ２に沿って前後方向に延在する筒部であり、横筒部６２の内部には、弁室６５が形成されている。横筒部６２は上記した天壁部６０の下面に付設されており、横筒部６２の上壁は天壁部６０によって構成されている。また、横筒部６２は、ヘッド本体６の天壁部６０の左右方向の中央位置に配設されており、横筒部６２の側面とヘッド本体６の下側周壁部６１の内周面との間には隙間があけられている。横筒部６２の前端は、下側周壁部６１を貫通して下側周壁部６１の外側に向けて開放されており、弁室６５は、ノズル５を介して外部に連通可能になっている。一方、横筒部６２の後端は、下側周壁部６１の内周面との間に隙間をあけて配設された後端壁部６２ａにより閉塞されている。この後端壁部６２ａの中央部分には、弁体７の後端部７２を挿通させるための開口６２ｂが形成されている。また、後端壁部６２ａの前方側（横筒部６２の内部側）の面には、弁室６５（横筒部６２内）に配置され、横軸Ｌ２方向（前後方向）に延在する筒状の弁ガイド部６２ｃが突設されている。
【００１９】
嵌合筒部６３は、下側周壁部６１の内側に配設されていると共に縦軸Ｌ１を共通軸にして下側周壁部６１と同軸上に配設されている。また、嵌合筒部６３の内側は、横筒部６２の下壁部に形成された連通孔６２ｄを介して弁室６５に連通されている。この嵌合筒部６３の内側には、上記したステム４２の上端部が圧入嵌合されており、ステム４２の内側は弁室６５に連通されている。
上側周壁部６４は、縦軸Ｌ１に沿って延在する筒部である。上側周壁部６４の外径は、下側周壁部６１の外径と同径であり、上側周壁部６４の外周面は下側周壁部６１の外周面と面一に形成されている。
【００２０】
ノズル５は、横軸Ｌ２に沿って延在する筒状部材である。ノズル５の後端部は、ヘッド本体６の横筒部６２の内側（弁室６５）にアンダーカット嵌合されており、ノズル５は、ヘッド本体６から前方側に向けて突出されている。また、ノズル５の後端は、弁室６５に向けて開放されており、ノズル５の内側は弁室６５に連通されている。一方、ノズル５の先端部（前端部）は、前方側に向かうに従い漸次縮径されたテーパー形状を成しており、ノズル５の先端面には、内容物を吐出するノズル孔５０が形成されている。また、ノズル５の内周面には横軸Ｌ２方向に延在する複数の凸リブ５１がノズル周方向に間隔をあけて複数配設されており、隣り合う凸リブ５１間の隙間が内容物を流通させる流通路となっている。
【００２１】
弁体７は、横軸Ｌ２を共通軸にして横筒部６２（弁室６５）及びノズル５と同軸上に配設された棒状の部材であり、横筒部６２内（弁室６５）からノズル５内に挿入され、横軸Ｌ２方向（前後方向）に移動自在に配置されている。詳しく説明すると、弁体７は、ノズル５内に収容された円柱形状の棒部７０と、棒部７０の前端に連設された先端部７１と、棒部７０の後端に連設された円柱形状の後端部７２と、棒部７０の後端部の外周面に周設されたスカート部７３と、が備えられている。
【００２２】
先端部７１は、前方（先端）に向うに従い漸次縮径された円錐台形状を成しており、ノズル５のノズル孔５０の内側に着脱自在に嵌め込まれている。スカート部７３は、後方に向うに従い漸次拡径されたテーパー形状の筒部である。このスカート部７３は、棒部７０の後端部の外周面から後方に向かって延在しており、横筒部６２の弁ガイド部６２ｃの内側に収容されている。スカート部７３の後端部には、その径方向外側に折り返した折り返し部７３ａが全周に亘って形成されており、この折り返し部７３ａは、弁ガイド部６２ｃの内周面に摺接されている。後端部７２は、棒部７０よりも小径の円柱形状を成しており、横筒部６２の後端壁部６２ａの開口６２ｂに挿通されている。この後端部７２の前方部分は、スカート部７３の内周面との間に隙間をあけてスカート部７３の内側に配設されている。一方、上記開口６２ｂから横筒部６２の外に突出された後端部７２の後方部分には、その径方向内側に凹んだ凹溝状の掛合部７２ａが形成されている。
上記した構成からなる弁体７は、上記したスカート部７３の折り返し部７３ａが弁ガイド部６２ｃに案内されるとともに、上記した棒部７０がノズル５の凸リブ５１に案内されることで、横軸Ｌ２方向に沿って往復移動可能になっている。
【００２３】
移動機構８は、ヘッド本体６の上部に上下動可能に装着されたカバー部材８０と、ヘッド本体６の天壁部６０上に配設された軸受け部材８１と、軸受け部材８１を介してヘッド本体６に取り付けられた梃部材８２と、弁体７を前方側に付勢する付勢部材８３と、を備えている。
【００２４】
カバー部材８０は、縦軸Ｌ１に対して略垂直に配設された天壁部１０と、天壁部１０の外縁から垂下された外周壁部１１と、天壁部１０の下面から垂下されていると共に外周壁部１１の内側に配設された内周壁部１２と、を備えている。天壁部１０は、ヘッド本体６の上方に配設された平板状の板部であり、天壁部１０の下面とヘッド本体６（上側周壁部６４）の上端面との間には、カバー部材８０の押下ストローク以上の隙間があけられている。外周壁部１１は、縦軸Ｌ１に沿って延在する筒状の壁部であり、外周壁部１１の前方部分には、ノズル５を通すための切り欠き部１１ａが形成されている。この切り欠き部１１ａの上端面とノズル５の上面との間には、カバー部材８０の押下ストローク以上の隙間があけられている。内周壁部１２は、縦軸Ｌ１に沿って延在すると共にヘッド本体６（上側周壁部６４）の外側に緩挿された略筒状の壁部であり、ノズル５を通すために前方部分が開かれた平面視Ｃ字形状を成している。
【００２５】
軸受け部材８１は、ヘッド本体６の天壁部６０の上面に載置された板部１３と、板部１３の後側部分の上面に立設されていると共に左右方向に間隔をあけて対向配設された一対の立上り部１４と、を備えている。板部１３は、縦軸Ｌ１に対して略垂直に配設された板部であり、ヘッド本体６の上側周壁部６４の内側にアンダーカット嵌合されている。この板部１３には、左右一対の立上り部１４間の部分に、後述する梃部材８２の第二アーム部１６を通すための開口１３ａが形成されている。一方、左右一対の立上り部１４の各対向面には、梃部材８２を軸支するための軸受け部１４ａが形成されている。この軸受け部１４ａは、立上り部１４の上端から下方に延びた溝部と、下端部が左右方向に貫通する軸孔と、を備えており、前記溝部から挿入された後述する回転軸１７が前記軸孔に嵌め込まれるように構成されている。
【００２６】
梃部材８２は、左右方向からみて「く」字状に形成されていると共に横軸Ｌ２を含む仮想鉛直面に沿って揺動可能な揺動部材であり、上端部がカバー部材８０の天壁部１０の下面に当接され、下端部が横筒部６２の外方に突出した弁体７の後端部７２に係合されている。詳しく説明すると、梃部材８２は、平面視コ字形状の第一アーム部１５と、第一アーム部１５に対して角度をつけて連結された板状の第二アーム部１６と、第一アーム部１５と第二アーム部１６との連結部分の左右両側の側面にそれぞれ突設されたピン状の回転軸１７と、を備えている。なお、第一アーム部１５は、平面視コ字形状以外の形状でもよく、例えば平板状に形成されていてもよい。
【００２７】
第一アーム部１５は、ヘッド本体６の天壁部６０の上方に配設されており、その先端部（上端部）がカバー部材８０の天壁部１０の下面に当接されている。第二アーム部１６は、軸受け部材８１の板部１３の開口１３ａ及びヘッド本体６の天壁部６０の開口６０ａに挿通されて天壁部６０の下方に突出され、横筒部６２の後端壁部６２ａとヘッド本体６の下側周壁部６１との間の隙間に配置されている。第二アーム部１６の下端部には、凹状に切り欠いた掛合部１６ａが形成されており、この掛合部１６ａは、弁体７の後端部７２に形成された掛合部７２ａに掛合されている。また、回転軸１７は、軸受け部材８１の立上り部１４の軸受け部１４ａの内側に回転可能に嵌め込まれて軸支されている。
【００２８】
付勢部材８３は、弁体７の棒部７０の後端面と横筒部６２の後端壁部６２ａとの間に介装されたコイルスプリングであり、横筒部６２内（弁室６５）に収容され、横軸Ｌ２を共通軸にして弁体７と同軸上に配設されている。この付勢部材８３は、弁体７のスカート部７３の内側に挿入されていると共に弁体７の後端部７２の外側に配置されている。なお、この付勢部材８３は、上記した吐出器２（ポンプ４）の図示せぬコイルスプリングよりも付勢力（復元力）が弱いものを用いることが好ましい。つまり、移動機構８の付勢部材８３は、ポンプ４の図示せぬコイルスプリングによりもばね定数が小さいものを用いることが好ましい。
【００２９】
次に、上記した構成からなる押下ヘッド１の作用について説明する。
【００３０】
まず、図２に示すように、カバー部材８０の上端面を指等で押圧してカバー部材８０を押し下げ、カバー部材８０をヘッド本体６に対して相対的に下降させる。このとき、ヘッド本体６及び軸受け部材８１は動かず、カバー部材８０とともに梃部材８２が下方に移動するため、カバー部材８０の天壁部１０によって梃部材８２の上端部が下向きに押圧されて梃部材８２が揺動する。詳しく説明すると、梃部材８２の第一アーム部１５の上端がカバー部材８０の天壁部１０の下面に当接した状態で梃部材８２の回転軸１７が下降するため、梃部材８２は、第一アーム部１５を下降させると共に第二アーム部１６を後方側に移動させる方向に回転軸１７周りに揺動する。このとき、第二アーム部１６の掛合部１６ａが弁体７の掛合部７２ａに掛合されているため、梃部材８２が揺動することにより弁体７の後端部７２が後方に引っ張られ、弁体７は後方に移動する。これにより、ノズル５のノズル孔５０から弁体７の先端部７１が離間してノズル孔５０が開放される。
【００３１】
なお、カバー部材８０が押し下げられたとき、カバー部材８０の内周壁部１２がヘッド本体６の上側周壁部６４の外周面に沿って移動するため、カバー部材８０は、縦軸Ｌ１方向に沿って下降する。このとき、内周壁部１２は、前方部分が開かれた平面視Ｃ字形状を成しているため、カバー部材８０を押し下げたときに内周壁部１２がノズル５に係止されることがなく、カバー部材８０をヘッド本体６に対して相対的に押し下げることが可能である。
また、弁体７が後方に引っ張られたとき、弁体７のスカート部７３の折り返し部７３ａが横筒部６２内の弁ガイド部６２ｃの内周面上を摺動するとともに、弁体７の棒部７０がノズル５の内周面の凸リブ５１上を摺動する。このため、弁体７は、横軸Ｌ２に沿って後方へ移動する。
【００３２】
続いて、カバー部材８０を更に押し下げていくと、カバー部材８０の天壁部１０がヘッド本体６（上側周壁部６４）の上端面に当接すること、及び／又は、梃部材８２の第二アーム部１６の下端がヘッド本体６の下側周壁部６１の内周面に当接することなどにより、梃部材８２の揺動が規制される。これにより、ヘッド本体６は、カバー部材８０の天壁部１０によって下向きに押圧されること、及び／又は、梃部材８２を介して押し下げられることにより、カバー部材８０と共に押し下げられ、装着キャップ３に対して相対的に下降する。このとき、ヘッド本体６の下側周壁部６１が装着キャップ３のガイド筒部３２の内周面に沿って移動するため、ヘッド本体６は、縦軸Ｌ１方向に沿って下降する。また、ヘッド本体６は、下側周壁部６１の下端が装着キャップ３の天壁部３０の上面に当接するところ、及び／又は、嵌合筒部６３の下端が装着キャップ３のポンプ取付部３５（内筒３５ｂ）の上端に当接するところまで、ヘッド本体６を押し下げることが可能である。
【００３３】
上述したようにヘッド本体６が下降すると、ヘッド本体６の嵌合筒部６３に嵌合されたステム４２がヘッド本体６と共に下降してポンプ４のシリンダ４０内に押し込まれると共に、ステム４２に嵌合されたピストン部材４１も共にシリンダ４０内に押し込まれる。これにより、図示せぬボトル内に収容された内容物がポンプ４によって弁室６５に供給され、ノズル５のノズル孔５０から吐出される。詳しく説明すると、押し下げられたピストン部材４１が上方に復帰する際に、図示せぬボトル内の内容物は、シリンダ４０内に流入する。このシリンダ４０内の内容物は、ステム４２及びピストン部材４１の押し下げにより、ピストン部材４１内を通ってステム４２内に流入し、さらに、ステム４２の上端から横筒部６２の連通孔６２ｄを通って弁室６５に流入し、ノズル５の内側の凸リブ５１間を通ってノズル孔５０から外部に吐出される。
【００３４】
また、上述したようにヘッド本体６が押し下げられる際、ヘッド本体６の嵌合筒部６３がステム４２に嵌合され、ヘッド本体６とステム４２とが直接連結されているので、ヘッド本体６ががたつきにくい。
【００３５】
次に、カバー部材８０の上端面を押圧していた指等を離し、カバー部材８０の押し下げを解除すると、ポンプ４の図示せぬコイルスプリングによりピストン部材４１が上方に付勢されて上昇するとともに、弁室６５内の付勢部材８３により弁体７が前方に付勢されて前方に移動する。
【００３６】
前記押し下げの解除によってピストン部材４１が上昇すると、ピストン部材４１と嵌合しているステム４２が上昇する。これにより、ステム４２と嵌合した嵌合筒部６３を有するヘッド本体６が押し上げられ、ヘッド本体６が装着キャップ３に対して相対的に上方に移動する。
【００３７】
また、弁体７が前方に移動すると、弁体７の先端部７１がノズル５のノズル孔５０内に嵌め込まれ、ノズル孔５０が閉塞される。また、梃部材８２の第二アーム部１６の掛合部１６ａが弁体７の掛合部７２ａに掛止されているため、弁体７が前方に移動すると、梃部材８２が、第二アーム部１６の下端部を前方に移動させる方向に揺動する。これにより、第一アーム部１５が上向きに回動し、この第一アーム部１５の先端部によってカバー部材８０の天壁部１０が上向きに押圧され、カバー部材８０が押し上げられる。
以上により、押下ヘッド１は元の位置に戻る。
【００３８】
上記した構成からなる押下ヘッド１によれば、ヘッド本体６とステム４２とが直接連結されており、ヘッド本体６を下降させてステム４２をシリンダ４０内に押し込む際のヘッド本体６のがたつきが抑制されるので、押下ヘッド１の押し下げ時の操作性を向上させることができる。
【００３９】
以上、本発明に係る押下ヘッドの実施の形態について説明したが、本発明は上記した実施の形態に限定されるものではなく、その趣旨を逸脱しない範囲で適宜変更可能である。
例えば、上記した実施の形態では、図示せぬボトル内の内容物をそのまま吐出するポンプ４に装着される押下ヘッド４について説明しているが、本発明に係る押下ヘッドは、図示せぬボトル内の内容物にエアを混合して発泡させて泡状の内容物を吐出する吐出器（フォーマーポンプ等）やエアゾール容器などに装着させることも可能である。
【００４０】
また、上記した実施の形態では、ノズル５が前方（縦軸Ｌ１に対して直交する方向）に向けられているが、本発明は、ノズル５の向きは適宜変更可能であり、例えば、ノズル５が斜め上方に向けられていてもよい。
【００４１】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４２】
【図１】本発明の実施の形態を説明するための吐出器に装着された押下ヘッドの押し下げ前の状態を表す縦断面図である。
【図２】本発明の実施の形態を説明するための吐出器に装着された押下ヘッドの押し下げ時の状態を表す縦断面図である。
【符号の説明】
【００４３】
１  押下ヘッド
２  吐出器
５  ノズル
６  ヘッド本体
７  弁体
８  移動機構
１０  天壁部
４２  ステム
６５  弁室
６３  嵌合筒部
８０  カバー部材
８２  梃部材
Ｌ２  横軸（弁体軸）
【図１】
2010104942.tif 000003
【図２】
2010104942.tif 000004